(57)【要約】  アンテナや非接触通信用制御回路を比較的容易に追加することのできるカードリーダを提供すること。カードリーダ１００において、カードと非接触通信を行うにあたって、非接触通信用のアンテナ３０、アンテナ回路３１、および非接触通信用制御回路３２が設けられた第１回路基板３に、非接触通信時に使用されない磁気復調回路３３や位置検出回路３４等が設けられ、第１回路基板３とは別の第２回路基板４には、非接触通信時に使用されるメインの制御回路４１が設けられている。この場合でも、非接触通信を行う際は、磁気ヘッド５を用いた接触通信や位置検出を行わないので、非接触通信が他の機能に支障をきたすという問題が発生しにくい。
2018003792.tif 000002
【特許請求の範囲】
【請求項１】
第１回路基板と、
前記第１回路基板と対向する第２回路基板と、
前記第１回路基板と前記第２回路基板との間に構成され、カード状の媒体が通過する媒体通路と、
を有し、
前記第１回路基板には、非接触通信用のアンテナと、前記アンテナを介して前記非接触通信を行うアンテナ回路と、前記アンテナを介して前記非接触通信を行う際に信号の変調または復調を行う非接触通信用制御回路と、前記非接触通信時に使用されない回路の少なくとも１つと、が設けられ、
前記第２回路基板には、前記アンテナ回路および前記非接触通信用制御回路以外で前記非接触通信時に使用される回路の少なくとも１つが設けられていることを特徴とするカードリーダ。
【請求項２】
前記第１回路基板側から前記媒体通路に臨む磁気ヘッドを有し、
前記第１回路基板には、前記非接触通信時に使用されない回路として、前記磁気ヘッドにより検出した信号の復調を行う磁気復調回路が設けられていることを特徴とする請求項１に記載のカードリーダ。
【請求項３】
前記第１回路基板は、前記アンテナを構成する層を含む複数の層が積層された積層基板であることを特徴とする請求項１または２に記載のカードリーダ。
【請求項４】
前記第１回路基板では、前記アンテナが形成されたアンテナ形成領域と平面視で重なる領域に前記アンテナ回路および前記非接触通信用制御回路が設けられ、前記アンテナ形成領域より外側の周辺領域と平面視で重なる領域に、前記非接触通信時に使用されない回路が設けられていることを特徴とする請求項３に記載のカードリーダ。
【請求項５】
前記第１回路基板を前記媒体通路とは反対側からみたとき、前記アンテナ形成領域の色相と前記周辺領域の色相とが異なることを特徴とする請求項４に記載のカードリーダ。
【請求項６】
前記第１回路基板の前記媒体通路と反対側の面には、前記アンテナ形成領域に対して、前記周辺領域の色相と異なる色相の層が設けられていることを特徴とする請求項５に記載のカードリーダ。
【請求項７】
前記複数の層のうち、前記媒体通路から最も離間する層では、前記アンテナ形成領域と平面視で重なる領域に導電パターンが設けられていることを特徴とする請求項４から６までの何れか一項に記載のカードリーダ。
【請求項８】
前記非接触通信時には、前記非接触通信時に使用されない回路への信号入力を停止し、  前記非接触通信時以外の動作時には、前記アンテナ回路および前記非接触通信用制御回路への信号入力を停止することを特徴とする請求項１から７までの何れか一項に記載のカードリーダ。
【発明の詳細な説明】
【技術分野】
【０００１】
本発明は、カード状の媒体と非接触で情報の記録または再生を行うことができるカードリーダに関するものである。
【背景技術】
【０００２】
近年、カード状の媒体（カード）として、ＲＦ（Ｒａｄｉｏ  Ｆｒｅｑｕｅｎｃｙ）ＩＣチップとアンテナコイルとが埋設された非接触ＩＣカードが普及しつつあり、かかる非接触ＩＣカードでは、カードリーダに設けられた非接触通信用のアンテナとの間で非接触通信によって、情報の送受信が行われる（特許文献１参照）。
【先行技術文献】
【特許文献】
【０００３】
【特許文献１】特開２０１０−２５６９５０号公報
【発明の概要】
【発明が解決しようとする課題】
【０００４】
カードリーダでは、磁気ヘッド等をカードに接触させて情報の記録や再生する接触通信機能に追加する態様で、非接触通信の機能を追加することが多い。この場合、磁気ヘッド等を用いた接触通信用制御回路等が構成された回路基板が配置されているため、非接触通信用制御回路等が設けられた専用の回路基板を追加することが困難である。従って、非接触通信用制御回路が設けられた回路基板とアンテナとを、接触通信用制御回路等が構成された制御基板とは別の回路ブロックとして空きスペースに設ける必要があるが、カードリーダの機種等によって、かかる空きスペースが存在しないという問題点がある。【０００５】
以上の問題点に鑑みて、本発明の課題は、アンテナや非接触通信用制御回路を比較的容易に追加することのできるカードリーダを提供することにある。
【課題を解決するための手段】
【０００６】
上記問題を解決するために、本発明に係るカードリーダは、第１回路基板と、前記第１回路基板と対向する第２回路基板と、前記第１回路基板と前記第２回路基板との間に構成され、カード状の媒体が通過する媒体通路と、を有し、前記第１回路基板には、非接触通信用のアンテナと、前記アンテナを介して前記非接触通信を行うアンテナ回路と、前記アンテナを介して前記非接触通信を行う際に信号の変調または復調を行う非接触通信用制御回路と、前記非接触通信時に使用されない回路の少なくとも１つとが設けられ、前記第２回路基板には、前記アンテナ回路および前記非接触通信用制御回路以外で前記非接触通信時に使用される回路の少なくとも１つが設けられていることを特徴とする。【０００７】
本発明では、非接触通信用の回路と非接触通信に使用されない回路とを１つの回路基板に混載してある。すなわち、非接触通信用のアンテナ、アンテナ回路、および非接触通信用制御回路が設けられた第１回路基板に、非接触通信時に使用されない回路の少なくとも１つが設けられ、第１回路基板とは別の第２回路基板には、非接触通信時に使用される回路の少なくとも１つが設けられている。このため、非接触通信を行うためのアンテナ、アンテナ回路、および非接触通信用制御回路を設けるのに第１回路基板や第２回路基板とは別の回路ブロックを設ける必要がないので、アンテナ、アンテナ回路、および非接触通信用制御回路を追加できる空きスペースがない場合でも、非接触通信機能を比較的容易に設けることができる。【０００８】
本発明において、前記第１回路基板側から前記媒体通路に臨む磁気ヘッドを有し、前記第１回路基板には、前記非接触通信時に使用されない回路として、前記磁気ヘッドにより検出した信号の復調を行う磁気復調回路が設けられている態様を採用することができる。
磁気復調回路はアナログ回路であるため、非接触通信用のアンテナ、送受信用アンテナ回路、および非接触通信用制御回路の近くに設けると、非接触通信時の電磁誘導の影響を受けることになるが、非接触通信を行う際はカードリーダとカード状の媒体との間で磁気ヘッドを用いた通信を行わないので、非接触通信が磁気ヘッドを用いた通信に支障をきたすという問題が発生しない。【０００９】
本発明において、前記第１回路基板は、前記アンテナを構成する層を含む複数の層が積層された積層基板である態様を採用することができる。かかる態様によれば、アンテナ等を第１回路基板に余裕をもって設けることができる。【００１０】
本発明において、前記第１回路基板では、前記アンテナが形成されたアンテナ形成領域と平面視で重なる領域に前記アンテナ回路および前記非接触通信用制御回路が設けられ、前記アンテナ形成領域より外側の周辺領域と平面視で重なる領域に、前記非接触通信時に使用されない回路が設けられている態様を採用することができる。かかる態様によれば、アンテナ回路および非接触通信用制御回路を纏めて狭い範囲に配置することができるので、非接触通信用の回路と非接触通信に使用されない回路とを第１回路基板に混載するのに適している。また、非接触通信時にはアンテナ回路や非接触通信用制御回路から他の回路への影響や、非接触通信時以外における他の回路からアンテナ回路や非接触通信用制御回路への影響を抑制することができる。【００１１】
本発明において、前記第１回路基板を前記媒体通路とは反対側からみたとき、前記アンテナ形成領域の色相と前記周辺領域の色相とが異なる態様を採用することができる。かかる態様によれば、アンテナ形成領域を視認しやすいので、カードリーダをＡＴＭ装置や非接触カードＩＣカード発行機等の上位の機器に搭載する際、電磁誘導の影響を受けやすい部品をアンテナ形成領域に設けることを回避しやすい。【００１２】
本発明において、前記第１回路基板の前記媒体通路と反対側の面には、前記アンテナ形成領域に対して、前記周辺領域の色相と異なる色相の層が設けられている態様を採用してもよい。【００１３】
本発明において、前記複数の層のうち、前記媒体通路から最も離間する層では、前記アンテナ形成領域と平面視で重なる領域に導電パターンが設けられている態様を採用することができる。かかる構成によれば、導電パターンによってアンテナ形成領域をシールドすることができるので、外乱の影響を抑制することができる。【００１４】
本発明において、前記非接触通信時には、前記非接触通信時に使用されない回路への信号入力を停止し、前記非接触通信時以外の動作時には、前記アンテナ回路および前記非接触通信用制御回路への信号入力を停止する態様を採用することができる。かかる態様によれば、非接触通信時におけるアンテナ回路や非接触通信用制御回路から他の回路への影響や、非接触通信時以外における他の回路からアンテナ回路や非接触通信用制御回路への影響を防止することができる。
【発明の効果】
【００１５】
本発明では、非接触通信用の回路と非接触通信に使用されない回路とを１つの回路基板に混載してある。すなわち、非接触通信用のアンテナ、アンテナ回路、および非接触通信用制御回路が設けられた第１回路基板に、非接触通信時に使用されない回路の少なくとも１つが設けられ、第１回路基板とは別の第２回路基板には、非接触通信時に使用される回路の少なくとも１つが設けられている。このため、非接触通信を行うためのアンテナ、アンテナ回路、および非接触通信用制御回路を設けるのに第１回路基板と第２回路基板とは別の回路ブロックを設ける必要がないので、アンテナ、アンテナ回路、および非接触通信用制御回路を追加できる空きスペースがない場合でも、非接触通信機能を比較的容易に設けることができる。
【図面の簡単な説明】
【００１６】
【図１】本発明を適用したカードリーダを第２フレームの側からみた斜視図である。
【図２】図１に示すカードリーダを第１フレームの側からみた斜視図である。
【図３】図１に示すカードリーダにおいて第１フレームと第２フレーム２の間を開放状態としたときの斜視図である。
【図４】図１に示すカードリーダの回路構成を示す説明図である。
【図５】図１に示すカードリーダに用いた第１回路基板の積層構造を模式的に示す説明図である。
【発明を実施するための形態】
【００１７】
図面を参照して、本発明を実施するための形態を説明する。なお、以下の説明においては、カード状の媒体（ＩＣカード、以下、単に「カード」という。）の搬送方向をＸ方向（第１方向）とし、Ｘ方向に対して直交する幅方向をＹ方向（第２方向）とし、Ｘ方向およびＸ方向に対して直交する高さ方向をＺ方向（第３方向）として説明する。
【００１８】
（全体構成）
図１は、本発明を適用したカードリーダ１００を第２フレーム２の側からみた斜視図である。図２は、図１に示すカードリーダ１００を第１フレーム１の側からみた斜視図である。図３は、図１に示すカードリーダ１００において第１フレーム１と第２フレーム２との間を開放状態としたときの斜視図である。
【００１９】
図１、図２および図３に示すように、カードリーダ１００は、第１フレーム１と、第１フレーム１と重ねて配置された第２フレーム２とを有しており、第２フレーム２のＸ方向の一方側の端部２０には、カードＣ（カード状の媒体）が挿入される挿入口２１が構成されている。本形態において、挿入口２１は、第２フレーム２のＸ方向の一方側の端部２０に設けられた樹脂製のベゼル２１０からなる。
【００２０】
本形態では、後述する静電気を含めたＥＭＣ（Ｅｌｅｃｔｒｏ  Ｍａｇｎｅｔｉｃ  Ｃｏｍｐａｔｉｂｉｌｉｔｙ）対策の面から、第１フレーム１は導電性であり、第２フレーム２は絶縁性である。より具体的には、第１フレーム１は、樹脂内に導電性充填材が分散した導電性樹脂からなり、第２フレーム２は、導電性充填材が分散していない絶縁性樹脂からなる。
【００２１】
第１フレーム１と第２フレーム２との間には、挿入口２１からＸ方向に延在する媒体通路１０が構成されている。本形態において、第１フレーム１には、媒体通路１０の一方面を構成する第１隔壁板１８が設けられており、第１隔壁板１８の背面側（第１隔壁板１８に対して第２フレーム２とは反対側）に第１回路基板３が保持されている。また、第２フレーム２には、媒体通路１０の他方面を構成する第２隔壁板２８が設けられており、第２隔壁板２８の背面側（第２隔壁板２８に対して第１フレーム１とは反対側）に第２回路基板４が保持されている。従って、第１回路基板３と第２回路基板４との間に媒体通路１０が設けられた構造になっている。第１回路基板３と第２回路基板４とは、カードリーダ１００の側面に設けられたフレキシブル配線基板１２０によって電気的に接続されている。
【００２２】
第１フレーム１には、第１隔壁板１８の開口部から媒体通路１０に向けて露出した従動ローラ１５が設けられ、第２フレーム２には、第２隔壁板２８の開口部から媒体通路１０に向けて露出した駆動ローラ２５と、駆動ローラ２５を駆動するモーター（図示せず）と、モーターの回転を駆動ローラ２５に伝達する歯車伝達機構２６とが設けられている。従って、駆動ローラ２５、モーター、歯車伝達機構２６および従動ローラ１５は、挿入口２１から挿入されたカードＣを媒体通路１０においてカードリーダ１００の奥に向けて搬送するとともに、媒体通路１０からカードＣを挿入口２１に向けて排出するカード搬送機構を構成している。
【００２３】
本形態のカードリーダ１００において、第２フレーム２は、挿入口２１と反対側の端部に設けられた支軸１１５を利用したヒンジ機構１１０によって第１フレーム１に対して揺動可能に支持されている。このため、図１および図２に示すように第１フレーム１と第２フレーム２とを重ねた状態と、図３に示すように第１フレーム１と第２フレーム２との間を開放した状態とに切り換えることができる。
【００２４】
また、第１フレーム１には係合部１７が構成され、第２フレーム２には、係合部１７が係合して第１フレーム１と第２フレーム２とが重なった状態を維持する被係合部２７が構成されている。本形態において、係合部１７は、第２フレーム２に向けて柱状に突出した凸部からなり、被係合部２７は、係合部１７に形成された穴に嵌って係合する爪部からなる。
【００２５】
本形態において、係合部１７において挿入口２１が位置する前面側の側面１７１には、第１フレーム１と第２フレーム２とが重なった際、後述する導電板９の端部からなる接点部９５が当接する被当接面になっている。
【００２６】
（カードリーダ１００の詳細構成）
第２フレーム２には、光学式の位置検出器（図示せず）が保持されており、位置検出器は、第２隔壁板２８の開口部を介して媒体通路１０を進行するカードＣの位置を検出する。位置検出器は、第２回路基板４の媒体通路１０側の面に搭載されている。
【００２７】
第２フレーム２には、ピン状の接点６が保持されており、接点６は、第２隔壁板２８の開口部から媒体通路１０に向けて露出している。接点６は、カードＣのＩＣ端子（図示せず）に接する状態でカードＣとの間で接触通信により信号（情報）の送信または受信を行う。接点６は、第２回路基板４の媒体通路１０側に設けられ、第２回路基板４と電気的に接続されている。
【００２８】
第２フレーム２の挿入口２１側の端部には発光素子７が保持されており、発光素子７は、カードリーダ１００の動作に連動して点滅する。従って、利用者は、挿入口２１から漏れてくる発光素子７の光によって、カードＣが移動中であること等を視認することができる。発光素子７は、第２回路基板４の挿入口２１側の端部において媒体通路１０側の面に搭載されている。
【００２９】
第２フレーム２の側において、第２回路基板４からはフレキシブル配線基板８が接続されており、フレキシブル配線基板８には、カードリーダ１００と接点６との間で接触通信を行うためのコネクタ８０が接続されている。
【００３０】
第１フレーム１には磁気ヘッド５が保持されており、磁気ヘッド５は、第１隔壁板１８の開口部から媒体通路１０に向けて露出している。磁気ヘッド５は、カードＣの磁気記録部分（図示せず）が接する状態でカードＣが移動した際、カードＣとの間で接触通信により信号（情報）の送信または受信を行う。磁気ヘッド５は、第１回路基板３の媒体通路１０側に設けられ、第１回路基板３と電気的に接続されている。
【００３１】
本形態において、カードＣは、アンテナコイル等が埋設された非接触ＩＣカードとして構成されている。このため、第１フレーム１には、非接触通信用のアンテナ３０が保持されており、アンテナ３０は、カードＣとの間で非接触通信によって信号（情報）の送信または受信を行う。本形態において、アンテナ３０は第１回路基板３に設けられている。
【００３２】
（カードリーダ１００の回路構成）
図４は、図１に示すカードリーダ１００の回路構成を示す説明図である。図４に示すように、カードリーダ１００に用いた第１回路基板３および第２回路基板４には以下の回路が構成されている。
【００３３】
第２回路基板４には、カードリーダ１００全体の制御を行うメインの制御回路４１と、カードＣを搬送するためのモーターを駆動するモーター駆動回路４２、各種電源を生成する電源回路４３、コネクタ（図示せず）を介してカードリーダ１００と上位の機器との間で情報の伝達を行う外部Ｉ／Ｆ回路４４とが構成されている。また、第２回路基板４には、接点６を介してカードＣと接触通信を行う際の制御を行う接触通信用制御回路４５、接点６を介して得たカードＣの情報に基づいてカードＣの認証を行うためのＳＡＭ回路４６、および発光素子７を駆動するためのＬＥＤ駆動回路４７が構成されている。
【００３４】
第１回路基板３には、非接触通信用のアンテナ３０が形成されているとともに、アンテナ３０を介してカードＣと非接触通信を行うアンテナ回路３１と、アンテナ３０を介して非接触通信を行う際に信号の変調または復調を行う非接触通信用制御回路３２とが形成されている。また、第１回路基板３には、磁気ヘッド５を介してカードＣと接触通信を行う際に信号の変調または復調を行う磁気復調回路３３、および光学式の位置検出器によってカードＣの位置を検出する位置検出回路３４が構成されている。
【００３５】
従って、第１回路基板３には、アンテナ３０、アンテナ回路３１、および非接触通信用制御回路３２によってカードＣと非接触通信を行う際に使用されない回路の少なくとも１つが設けられ、第２回路基板４には、アンテナ回路３１および非接触通信用制御回路３２以外で非接触通信時に使用される回路の少なくとも１つが設けられている。より具体的には、第１回路基板３に構成された回路のうち、磁気復調回路３３、および位置検出回路３４は、アンテナ３０、アンテナ回路３１、および非接触通信用制御回路３２によってカードＣと非接触通信を行う際に使用されない回路である。また、第２回路基板４に構成された回路のうち、制御回路４１は、アンテナ３０、アンテナ回路３１、および非接触通信用制御回路３２によってカードＣと非接触通信を行う際に使用される回路である。
【００３６】
本形態において、非接触通信時には、非接触通信時に使用されない回路（磁気復調回路３３、位置検出回路３４、接触通信用制御回路４５、ＳＡＭ回路４６、およびＬＥＤ駆動回路４７）への信号入力が停止される。かかる信号入力の停止は、例えば、該当する入力ポートをハイインピーダンスモードに切り替えることにより行われる。また、非接触通信時以外の動作時には、アンテナ回路３１および非接触通信用制御回路３２への信号入力が停止される。従って、非接触通信時におけるアンテナ回路３１および非接触通信用制御回路３２から他の回路（磁気復調回路３３、位置検出回路３４、接触通信用制御回路４５、ＳＡＭ回路４６、およびＬＥＤ駆動回路４７）への影響や、非接触通信時以外における他の回路（磁気復調回路３３、位置検出回路３４、接触通信用制御回路４５、ＳＡＭ回路４６、およびＬＥＤ駆動回路４７）からアンテナ回路３１および非接触通信用制御回路３２への影響を防止することができる。
【００３７】
また、電源回路４３は、アンテナ回路３１および非接触通信用制御回路３２に供給する電源の周波数帯と、接触通信時に使用されない回路（磁気復調回路３３、位置検出回路３４、接触通信用制御回路４５、ＳＡＭ回路４６、およびＬＥＤ駆動回路４７）に供給する電源の周波数帯とを異ならせている。従って、アンテナ回路３１および非接触通信用制御回路３２と、接触通信時に使用されない回路（磁気復調回路３３、位置検出回路３４、接触通信用制御回路４５、ＳＡＭ回路４６、およびＬＥＤ駆動回路４７）との間での電源の干渉を抑制することができる。
【００３８】
（第１回路基板３の積層構造）
図５は、図１に示すカードリーダ１００に用いた第１回路基板３の積層構造を模式的に示す説明図である。
【００３９】
図５に示すように、第１回路基板３は、アンテナ３０を構成する層を含む複数の層が積層された積層基板である。本形態において、第１回路基板３は、アンテナ３０を構成する層を含む４つの層３ａ、３ｂ、３ｃ、３ｄが積層された積層基板である。
【００４０】
第１回路基板３において、媒体通路１０から第１番目の層３ａは、アンテナ回路３１および非接触通信用制御回路３２等を構成する電子部品が実装された層である。本形態において、アンテナ回路３１および非接触通信用制御回路３２は、後述するアンテナ形成領域３６に纏めて配置され、アンテナ形成領域３６より外側の周辺領域３７に磁気復調回路３３や位置検出回路３４が設けられている。
【００４１】
第１回路基板３において、媒体通路１０から第２番目の層３ｂは、アンテナ３０がループ状に形成された層であり、アンテナ３０が形成されたアンテナ形成領域３６は、第１回路基板３の基板面に垂直な方向からみた平面視において、アンテナ回路３１および非接触通信用制御回路３２が形成された領域と重なっている。
【００４２】
第１回路基板３において、媒体通路１０から第３番目の層３ｃは、第１番目の層３ａに形成された電子部品に対する配線３１０、３２０が形成された層である。第１回路基板３において、媒体通路１０から第４番目の層３ｄは、スルーホールのみが形成された層である。
【００４３】
ここで、第１回路基板３を媒体通路１０とは反対側からみたとき、アンテナ形成領域３６の色相とアンテナ形成領域３６より外側の周辺領域３７の色相とが異なる。本形態では、第１回路基板３の媒体通路１０と反対側の面には、アンテナ形成領域３６に対して、周辺領域３７の色相と異なる層３９が形成されている。本形態において、層３９は、第１回路基板３の媒体通路１０とは反対側の面にシルク印刷された塗膜層３９０である。
【００４４】
なお、第１回路基板３の複数の層３ａ、３ｂ、３ｃ、３ｄのうち、媒体通路１０から最も離間する層３ｄでは、アンテナ形成領域３６内に導電パターンが設けられている態様を採用してもよい。かかる構成によれば、導電パターンによってアンテナ形成領域３６をシールドすることができるので、外乱の影響を抑制することができる。その際、導電パターンについては、ベタの導電パターンや網目状の導電パターンとして設けられるが、網目状の導電パターンを用いれば、渦電流損失を低減することができる。従って、インピーダンスを高くすることができる。この場合、第１回路基板３に層３９を設けなくても、アンテナ形成領域３６の色相と周辺領域３７の色相とを異ならせることができる。
【００４５】
（静電気対策）
本形態のカードリーダ１００において、カードＣを挿入口２１に挿入する際、手から放出された静電気が第２回路基板４に侵入すると、データの破損等の問題が発生する。従って、本形態では、図１、図２および図３に示すように、第１フレーム１を導電性とし、第２フレーム２を絶縁性とするとともに、第２フレーム２には、挿入口２１と第２回路基板４との間に導電板９が設けられている。また、導電板９は、第１フレーム１に接している。このため、カードＣを挿入する際、手から放電された静電気を、導電板９を介して第１フレーム１を介して逃がすことができる。より具体的には、第１フレーム１の側面において、係合部１７の近傍に形成された凸部１９を、ＡＴＭ装置や自動支払機等の上位の機器のシャーシ等に接続しておけば、手から放電された静電気を、導電板９および第１フレーム１を介して上位の機器のシャーシ等に逃がすことができる。従って、第２回路基板４に静電気の抑制回路を設けなくても、挿入口の側から侵入した静電気が回路基板に侵入することを抑制することができるので、静電気の影響を抑制することができる。また、第１フレーム１および第２フレーム２のうち、第１フレーム１のみを導電性とすればよいため、コストの低減を図ることができる。
【００４６】
また、導電板９は、第２フレーム２の挿入口２１側の端部２０にネジ９９によって固定された帯状の平板部９２と、平板部９２から第１フレーム１の側に延在するアーム状の接点部９５とを有しており、接点部９５は、第１フレーム１と第２フレーム２とが重なった際に第１フレーム１に接する。このため、第２フレーム２に設けた導電板９を第１フレーム１に固定しておく必要がないので、メンテンス等の行う際、第１フレーム１と第２フレーム２とを容易に離間させることができる。それ故、メンテンス等が容易である。また、接点部９５は、第１フレーム１と第２フレーム２とが重なった際に弾性をもって第１フレーム１に接するため、導電板９を第１フレーム１に確実に接する状態とすることができる。さらに、接点部９５は、第１フレーム１と第２フレーム２とが重なった際に第１フレーム１の係合部１７に弾性をもって接するため、導電板９を第１フレーム１に確実に接する状態とすることができる。さらにまた、接点部９５は、第２フレーム２に向けて柱状に突出した係合部１７（凸部）の側面に弾性をもって接するため、係合部１７と被係合部２７との間に多少の遊びがあっても、導電板９を第１フレーム１に確実に接する状態とすることができる。
【００４７】
（本形態の主な効果）
以上説明したように、本形態のカードリーダ１００では、カードＣと非接触通信を行うにあたって、非接触通信用の回路と非接触通信に使用されない複数の回路とを１つの回路基板に混載してある。すなわち、非接触通信用のアンテナ３０、アンテナ回路３１、および非接触通信用制御回路３２が設けられた第１回路基板３に、非接触通信時に使用されない磁気復調回路３３や位置検出回路３４等が設けられ、第１回路基板３とは別の第２回路基板４には、非接触通信時に使用されるメインの制御回路４１が設けられている。このため、非接触通信を行うためのアンテナ３０、アンテナ回路３１、および非接触通信用制御回路３２を設けるのに第１回路基板３や第２回路基板４とは別の回路ブロックを設ける必要がない。それ故、アンテナ３０、アンテナ回路３１、および非接触通信用制御回路３２を追加できる空きスペースがない場合でも、非接触通信機能を比較的容易に設けることができる。
【００４８】
また、磁気復調回路３３はアナログ回路であるため、アンテナ３０、送受信用のアンテナ回路３１、および非接触通信用制御回路３２の近くに設けると、非接触通信時の電磁誘導の影響を受けることになるが、非接触通信を行う際は、磁気ヘッド５を用いた接触通信を行わないので、非接触通信が磁気ヘッド５を用いた接触通信に支障をきたすという問題が発生しない。
【００４９】
また、第１回路基板３は、アンテナ３０を構成する層を含む複数の層３ａ、３ｂ、３ｃ、３ｄが積層された積層基板であるため、第１回路基板３と別にアンテナ３０を設ける必要がない。また、第１回路基板３が積層基板であるため、第１回路基板３の配線パターンの長さを短くすることができる。それ故、配線パターンからのノイズの発生を抑制することができる。さらに、最短の配線パターンを第１基板３上にパターニングすることができるため、アンテナ回路３１を別モジュールとして接続する場合と比較して、カードリーダ１００の個体差によるノイズのバラつきを小さくすることが可能になる。
【００５０】
また、第１回路基板３では、アンテナ形成領域３６と平面視で重なる領域にアンテナ回路３１および非接触通信用制御回路３２が設けられ、周辺領域３７と平面視で重なる領域に、非接触通信時に使用されない回路（磁気復調回路３３および位置検出回路３４）が設けられている。このため、アンテナ回路３１および非接触通信用制御回路３２を纏めて狭い範囲に配置することができるので、非接触通信用の回路と非接触通信に使用されない回路とを第１回路基板３に混載するのに適している。また、非接触通信時にはアンテナ回路３１や非接触通信用制御回路３２から他の回路（磁気復調回路３３および位置検出回路３４）への影響を抑制することができる。また、非接触通信時以外の動作時には、他の回路（磁気復調回路３３および位置検出回路３４）からアンテナ回路３１や非接触通信用制御回路３２への影響を抑制することができる。
【００５１】
また、第１回路基板３を媒体通路１０とは反対側からみたとき、アンテナ形成領域３６の色相と周辺領域３７の色相とが異なっている。このため、アンテナ形成領域３６を視認しやすいので、カードリーダをＡＴＭ装置や非接触カードＩＣカード発行機等の上位の機器に搭載する際、上位の機器において、電磁誘導の影響を受けやすい部品をアンテナ形成領域３６に設けることを回避しやすい。
【００５２】
（他の実施の形態）
上記実施の形態において、非接触通信時には、非接触通信時に使用されない回路（磁気復調回路３３、位置検出回路３４、接触通信用制御回路４５、ＳＡＭ回路４６、およびＬＥＤ駆動回路４７）への信号入力を停止したが、非接触通信時に磁気復調回路３３、接触通信用制御回路４５、およびＳＡＭ回路４６への信号入力を停止し、位置検出回路３４、およびＬＥＤ駆動回路４７については、信号入力を継続してもよい。
【符号の説明】
【００５３】
１…第１フレーム、２…第２フレーム、３…第１回路基板、３ａ、３ｂ、３ｃ、３ｄ、３９…層、４…第２回路基板、５…磁気ヘッド、６…接点、７…発光素子、９…導電板、１０…媒体通路、１７…係合部、１８…第１隔壁板、１９…凸部、２０…端部、２１…挿入口、２５…駆動ローラ、２７…被係合部、２８…第２隔壁板、３０…アンテナ、３１…アンテナ回路、３２…非接触通信用制御回路、３３…磁気復調回路、３４…位置検出回路、３６…アンテナ形成領域、３７…周辺領域、３９…層、４１…制御回路、４２…モーター駆動回路、４３…電源回路、４４…外部Ｉ／Ｆ回路、４５…接触通信用制御回路、４６…ＳＡＭ回路、４７…ＬＥＤ駆動回路、９５…接点部、１００…カードリーダ、１１０…ヒンジ機構、３９０…塗膜層、Ｃ…カード
【図１】
2018003792.tif 000003
【図２】
2018003792.tif 000004
【図３】
2018003792.tif 000005
【図４】
2018003792.tif 000006
【図５】
2018003792.tif 000007
【国際調査報告】
2018003792.tif 000008
2018003792.tif 000009